(57)【特許請求の範囲】
【請求項１】
木板の自然な湾曲に従う縁部を有する積層床板の製造方法であって、
工程ａ）において、自然な縁部湾曲を有するエッジングされていない木板が用いられるとき、前記木板の輪郭データおよび画像をスキャンしてコンピュータのデータべースに取り込み、前記データは、少なくとも前記木板の長さ、幅、厚さ、および縁部の輪郭のデータを含み、前記木板は長さ方向に同じ厚さのベニヤ板に切られることによって、または自然な縁部湾曲を有するベニヤ板が用いられるとき、ベニヤ板の輪郭データおよび画像をスキャンしてコンピュータのデータベースに取り込み、前記データは、少なくとも前記べニヤ板の長さ、幅、厚さ、および縁部の輪郭のデータを含むことによって、積層床板の製造材料を準備し、
工程ｂ）において、所定の床領域を覆うベニヤ板の列の数および列ごとに前記ベニヤ板の好ましい幅を規定する、前記ベニヤ板の予備レイアウト配列を作成し、
工程ｃ）において、前記コンピュータのデータベース内の前記木板の前記ベニヤ板の縁部の輪郭データに基づいて、前記所定の床領域を覆う、自然な湾曲を有する縁部を有するベニヤ板のセットを作成し、前記予備レイアウト配列に従って前記ベニヤ板の次の列へベニヤ板を選択する間、この列の縁部の輪郭は、前記予備レイアウト配列によって決められた最小および最大の重複に従って、前の列の縁部の輪郭と適合され、それぞれの列において、前記ベニヤ板の端部も、前記所定の最小および最大重複に従って適合され、当該動作は、全ての所定の床領域が覆われるまで、前記ベニヤ板のそれぞれの次の列に対して繰り返し、
工程ｄ）において、前記ベニヤ板のそれぞれの隣接する列の重複領域において、前記隣接するベニヤ板の縁部上で共通する切断線が作成され、またベニヤ板の一つの列の、２つの連続するベニヤ板の端部の重複領域において、前記連続するベニヤ板の端部上に共通する切断線が作成され、
工程ｅ）において、その前の工程ｄ）で作成された前記切断線に従って、それぞれのベニヤ板に対して、前記ベニヤ板の縁部および端部上の切断線によって決められたベニヤ板の輪郭に従って基板が作成され、さねはぎを形成するために、付加的な材料部が、少なくとも前記基板の１つの長い方の縁部と１つの短い方の縁部に加えられ、
工程ｆ）において、それぞれのベニヤ板に対して、工程ｅ）で作成された形を有する基板を切り取り、
工程ｇ）において、前記ベニヤ板とそれの対応する切り取られた基板とを接着し、
工程ｈ）において、前記ベニヤ板とその基板とを接着した後、準備できた床板の縁部上で、前記ベニヤ板の縁部が、前記ベニヤ板に対する工程ｄ）で作成された前記縁部および端部上の切断線に従うように、それぞれの木板の縁部が切断され、前記基板の長い方の縁部で、前記基板の切断線に従った対応する突起および溝が、それらの切断線に沿って準備できた床板を互いに接合するために切断される、
工程を含むことを特徴とする製造方法。
【請求項２】
合板、ファイバーボード、またはチップボードが基板として用いられることを特徴とする、請求項１記載の製造方法。
【請求項３】
工程ｃ）で、それぞれの列において、次の列のベニヤ板の端部の接合部が、前記ベニヤ板の前の列の突き合わせ端部の幅より、前記前の列のベニヤ板の端部の接合部に近くならないように、前記ベニヤ板の端部が、所定の最小および最大重複に従って適合されることを特徴とする、請求項１または２に記載の製造方法。
【請求項４】
前記木板の画像と共に前記自然な湾曲に従うエッジングされていない木板の輪郭データがスキャンされ、前記コンピュータのデータベースに記録される工程ａ）で、前記データが、さらに少なくとも、前記木板の長さ、幅、厚さ、および輪郭のデータ、前記木板の樹皮、樹心、心材、および丸身の輪郭、ならびに木材の欠陥のデータを含むことを特徴とする、請求項１〜３のいずれか一項に記載の製造方法。
【請求項５】
ベニヤ板の画像と共に前記自然な湾曲に従うベニヤ板の輪郭データがスキャンされ、前記コンピュータのデータベースに記録される工程ａ）で、前記データが、さらに少なくとも、前記ベニヤ板の長さ、幅、厚さ、および輪郭のデータ、前記ベニヤ板の樹皮、樹心、心材、および丸身の輪郭、ならびに木材の欠陥のデータを含むことを特徴とする、請求項１〜４のいずれか一項に記載の製造方法。
【発明の詳細な説明】
【技術分野】
【０００１】
本発明は、木質材料の自然な湾曲に従う縁部を有する積層床板の製造方法に関する。
【背景技術】
【０００２】
従来技術において、木質材料の自然な湾曲に従う縁部を有する、床板、床パネル、または他のパネルを製造するために、いくつかの既知の解決法がある。
【０００３】
特許文献１（Ｐｅｔｅｒ  Ｈｅｒｚｏｇ−Ｓｃｈｙｍｕｒａ、２００９年４月３０日公開）は、木質エレメントの自然な湾曲にできるだけ近い結合線に沿った縁部によって結合される、複数の隣接する木質エレメントから堅固な木質ボードを製造する方法を開示している。製造される木質ボードは、例えば、テーブル面、床エレメント（すなわち床パネル）、または平面状の家具エレメント等である。
【０００４】
特許文献２（Ｒｕｄｏｌｆ  Ｍｅｙｅｒ、２０１１年３月１６日公開）は、エッジングされていない（ｕｎｅｄｇｅｄ）木板から堅固な木質プレートを製造する方法および装置を開示している。この装置は、エッジングされていない板をスキャンするために用いられ、そのデータはコンピュータのデータベースに保存されるデジタルカメラのような検出ユニット、およびコンピュータのデータベースに保存されたデータに基づいて、曲線縁部を有する２つの隣接する板の切断線を算出するコンピュータ装置を含む。この装置は、これらの切断線を切り取るための切断装置および切断した板を接合してプレートにするための対応するワークステーションを含む。
【０００５】
特許文献３（Ｗｉｌｌｉ  Ｓｃｈｍｉｄｔ、１９９８年１２月１７日公開）は、曲線縁部を有するいくつかの板で作られたプレートを開示し、２つの隣接する板は、さねはぎのために、一方の板の縁部に突起を備え、他方の板は対応する縁部に溝を備える。
【０００６】
特許文献４（Ｄｉｅｔｅｒ  Ｋａｒｓｔｅｎ  Ｈｅｒｒｍａｎｎ、２００７年８月１６日公開）は、自然な湾曲を有する板から床材、壁装材、または天井張りを製造する方法を開示している。この解決法においても、それぞれの板はスキャンされ、そのようにして得られたデータはコンピュータのデータベースに保存される。スキャンすることによって得られたデータは、とりわけ、板の実物大の画像を含む。例えば、ＣＡＤプログラムを用いることによって、板のスキャンされた画像は、覆われる床領域画像上に配置され、隣接する板の縁部に、切断線が半自動式に、または全自動式に作成される。その後、それぞれの板は、切断線に従ってＣＮＣ切断機で切り取られる。
【先行技術文献】
【特許文献】
【０００７】
【特許文献１】スイス特許第６９８０２０Ｂ１号明細書
【特許文献２】欧州特許出願公開第２２９５２１５Ａ１号明細書
【特許文献３】独国実用新案第２９８１２９１９Ｕ１号明細書
【特許文献４】独国特許出願公開第１０２００７００６６３１Ａ１号明細書
【発明の概要】
【発明が解決しようとする課題】
【０００８】
本発明の目的は、木質材料の自然な湾曲に従う縁部を有する積層床板の製造方法を提供することで、積層床板の製造段階において、使用する木質材料の形を注意深く選択し、適合させることによって、床板の切削を可能な限り最小限に抑える。
【０００９】
また本発明の目的は、木質材料の形を適合させることによって、木質材料のより効率的な使用を可能にすることである。これはまた、このプロセスで生じたおがくずや切れ端のような木質残留物の量を減らし、また使用する切削工具の寿命を延ばし、そして動作不能時間を減らす。これはまた、このプロセスの全エネルギー消費量を減らす。
【課題を解決するための手段】
【００１０】
本発明は、木質材料の自然な湾曲に従う縁部を有する積層床板の製造方法に関し、以下の工程を含む：
ａ）自然な縁部湾曲を有するエッジングされていない木板が用いられるとき、木板の輪郭データおよび画像をスキャンしコンピュータのデータべースに取り込み、このデータは、少なくとも木板の長さ、幅、厚さ、および縁部の輪郭のデータを含み、木板は長さ方向に同じ厚さのベニヤ板に切られることによって、または
自然な縁部湾曲を有するベニヤ板が用いられるとき、ベニヤ板の画像と共にベニヤ板の輪郭データをスキャンしコンピュータのデータベースに取り込み、このデータは、少なくともべニヤ板の長さ、幅、厚さ、および縁部の輪郭のデータを含むことによって、積層床板の製造材料は準備される。
【００１１】
言い換えれば、本発明の第１の好ましい実施形態によれば、工程ａ）において、積層床板の製造材料は、自然な湾曲を有するエッジングされていない木板に基づいて準備され、木板の輪郭データおよび画像はスキャンされてコンピュータのデータベースに取り込まれ、このデータは、少なくとも木板の長さ、幅、厚さ、および縁部の輪郭のデータを含み、その後、木板は長さ方向に同じ厚さのベニヤ板に切られる。
【００１２】
また言い換えれば、本発明の第２の好ましい実施形態によれば、工程ａ）において、積層床板の製造材料は、自然な縁部湾曲を有するベニヤ板に基づいて準備され、ベニヤ板の画像と共にベニヤ板の輪郭データはスキャンされてコンピュータのデータベースに取り込まれ、このデータは、少なくともベニヤ板の長さ、幅、厚さ、および縁部の輪郭のデータを含む。
【００１３】
言い換えれば、本発明の第２の好ましい実施形態においては、第１の工程ａ）において、（本発明の第１の実施形態による）自然な湾曲を有するエッジングされていない木板を用いる代わりに、第１の工程ａ）においてベニヤ板が用いられ、それは例えば、連続して薄く切られたベニヤ板として（いわゆる薄板パック）、同じ樹幹から得られる。
【００１４】
本発明のさらなる別の好ましい実施形態によれば、上述のデータはまた、樹皮、樹心、心材、丸身の輪郭、および木材の欠陥に関するデータも含む。
【００１５】
本発明のさらなる別の好ましい実施形態によれば、コンピュータのデータベースには、それぞれの板の納入や原産地、および他のメタデータ、例えばＦＳＣ（Ｔｈｅ  Ｆｏｒｅｓｔ  Ｓｔｅｗａｒｄｓｈｉｐ  Ｃｏｕｎｃｉｌ（登録商標））認証を有しているなど、それぞれの板の情報が保存されている。
【００１６】
次に（工程ｂ）、ベニヤ板の予備レイアウト配列が作成され、所定の床領域を覆うベニヤ板の列の数および列ごとにベニヤ板の好ましい幅を規定する。
【００１７】
言い換えれば、工程ｂ）において、（スキャンされた木板の輪郭データを用いて得られた）コンピュータのデータベース内のベニヤ板の幅に基づいて覆われる床領域（または他の領域）に対して、およびベニヤ板を床上のさまざまな列中へ入れるように選択するために、予備レイアウト配列が作成され、所定の床領域を覆うベニヤ板の列の数、および列ごとにベニヤ板の好ましい幅を規定する。
【００１８】
この予備レイアウト配列の目的は、自然な湾曲を有するベニヤ板が列中に配置されるとき、それらの列がゆがまないことを確実にすることであり、最悪の場合には、部屋の床上で、一方の壁に接触するベニヤ板の数が他方の壁に接触するベニヤ板の数と異なることを意味する。言い換えれば、この予備レイアウト配列はベニヤ板の列の向きを制限する。
【００１９】
好ましい幅が、木質材料の倉庫において、ベニヤ板の実際に存在する幅分布に従って選択され、すなわち（コンピュータのデータベース内のスキャンされたベニヤ板のデータにによる）倉庫内のベニヤ板の幅が、幅に従って異なる群（いわゆる幅分類）に分配される。予備レイアウト配列における床領域を覆う列の数および幅が、技術的制限または技術的考慮（例えば、戸口、柱、ストーブ、暖炉などの位置）によって、または、さらに設計者やクライアントの好みによって、または例えば美的好みによって選択することができる。
【００２０】
予備レイアウト配列の列の数および幅を決定するための考慮事項がなんであれ、ベニヤ板が各列に選択される際の技術パラメーターが、次の工程のために定められる。
【００２１】
次に（工程ｃで）、コンピュータのデータベース内の木板のベニヤ板の縁部の輪郭データに基づいて、所定の床領域を覆う自然な湾曲を有する縁部を有するベニヤ板のセットが作成され、予備レイアウト配列に従ってベニヤ板の次の列へベニヤ板を選択する間、この列の縁部の輪郭が、予備レイアウト配列によって決められた最小および最大重複に従って前の列の縁部の輪郭と適合され、それぞれの列において、ベニヤ板の端部が所定の最小および最大重複に従って適合され、これらの動作は、全ての所定の床領域が板で覆われるまで、ベニヤ板のそれぞれの次の列に対して繰り返される。
【００２２】
次に（工程ｄで）、ベニヤ板のそれぞれの隣接する列の重複領域において、隣接するベニヤ板の縁部上で共通する切断線が作成され、またベニヤ板の一つの列の、２つの連続するベニヤ板の端部の重複領域において、連続するベニヤ板の端部上に共通する切断線が作成される。
【００２３】
次に（工程ｅで）、その前の工程ｄ）で作成された切断線に従って、それぞれのベニヤ板に対して、ベニヤ板の縁部および端部上の切断線によって決められたベニヤ板の輪郭に従って基板が作成され、さねはぎを形成するために、付加的な材料部が、少なくとも基板の１つの長い方の縁部と１つの短い方の縁部に加えられる。
【００２４】
工程ｅ）の好ましい実施形態において、それぞれのベニヤ板に対して工程ｄ）で作成された切断線に従って、ベニヤ板の縁部および端部上の切断線によって決められたベニヤ板の輪郭に従って、基板がわずかに大きくなるように基板が作成され（すなわち基板の輪郭は作成された切断線によって区切られたベニヤ板の領域の外側にある）、例えば、ベニヤ板を基板上に配置するときに位置決め公差を考慮に入れ、さねはぎを形成するために、必要な場合、付加的な材料部が、少なくとも基板の１つの長い方の縁部と１つの短い方の縁部に加えられる。
【００２５】
次の工程で（工程ｆ）、それぞれのベニヤ板に対して、工程ｅ）で作成された形を有する基板が切り取られる。
【００２６】
次に（工程ｇで）、ベニヤ板および対応する切り取られた基板が接着される。
【００２７】
好ましい実施形態において、ベニヤ板および対応する基板が、レーザまたは画像プロジェクタを用いて、上下に正しい位置に配置される。この手段なしには、より小さい基板はより大きいベニヤ板の下で誤った位置に配置される可能性がある。
【００２８】
次の工程で（工程ｈ）、ベニヤ板およびその基板が接着された後、準備できた床板の縁部上で、ベニヤ板の縁部が、そのベニヤ板に対する工程ｄ）で作成された縁部および端部上の切断線に従うように、それぞれの床板の縁部は切断され、基板の４つの縁部で、基板の切断線に従う対応する突起と溝が、それらの切断線に沿って準備できた床板を互いに接合するために切断される。
【００２９】
好ましくは、合板、ファイバーボード、またはチップボードが基板として用いられる。
【００３０】
本発明の好ましい実施形態において、工程ｃ）で、それぞれの列において、次の列のベニヤ板の端部の接合部が、前の列のベニヤ板の突き合わせ端部の幅より、前の列のベニヤ板の端部の接合部に近くならないように、ベニヤ板の端部が、所定の最小および最大重複に従って適合される。
【００３１】
このために、操作者によって選択され、通常、ベニヤ板の端部の平均の幅に等しいかそれより大きい、一定の数値が使用されてもよい。
【００３２】
同じ基準（しかし、より少ない制約で）が、ベニヤ板の前の列の１つ前の列で、ベニヤ板の端部の接合部からの最小必要距離に関して適用される。これは隣接するベニヤ板の列の接合部が互いに近づきすぎることを防ぐ。
【００３３】
本発明の好ましい実施形態によれば、工程ａ）において、スキャンされてコンピュータのデータベースに取り込まれた自然な湾曲を有するエッジングされていない木板またはベニヤ板のデータは、少なくとも木板またはベニヤ板のより細い側の画像を含み、最も好ましい実施形態において、データは木板またはベニヤ板の両側の画像を含み、それによって３Ｄモデルの作成が可能になり、木板またはベニヤ板のエッジングされていない縁部および樹心を考慮に入れることが可能になる。
【００３４】
好ましくは、工程ｃ）において、ベニヤ板のセットの作成、および最小および最大重複に従って、次の列のベニヤ板の縁部の輪郭を前の列の縁部の輪郭と適合させることが、制御プログラムによってコンピュータ装置（コンピュータ）を用いて、自動的に行われる。
【００３５】
好ましくは、列へのベニヤ板の選択プロセスにおいて、それは制御プログラムによって自動的に実施され、手動介入を選択することもでき、必要な場合、操作者が手動で１つ以上の列にベニヤ板を選択する。
【００３６】
好ましくは、工程ｄ）において、制御プログラムによるコンピュータ装置（コンピュータ）を用いて、隣接するベニヤ板の縁部に共通する切断線を自動的に作成する。
【００３７】
好ましくは、切断線の作成プロセスにおいて、それは制御プログラムによって自動的に行われ、操作者による手動介入も選択でき、必要な場合、２つ以上の隣接する列においてベニヤ板の位置や場所の変更、および縁部上の切断線の修正を操作者が手動で行う。
【００３８】
次に本発明による方法を、添付の図面を参照して、例示的な実施形態を用いて説明する。
【図面の簡単な説明】
【００３９】
【図１】本発明による、木板の自然な湾曲に従う縁部を有する積層床板によって覆われた床を示す。
【図２】予備レイアウト配列を示す。
【図３】縁部で樹心の輪郭（すなわち、細線によって示される辺材の外輪郭）および心材の輪郭（太線によって示される内側の輪郭）を有するベニヤ板を示す。
【図４】３つのベニヤ板（左側）が重複するように隣接して配置された（右側）後、重複領域を生じることを示す。
【図５】長い方の縁部での、図４による３つの隣接するベニヤ板の重複領域の中の水平な切断線（二重点破線）の形成を示す。
【図６】ベニヤ板の重複領域の中に短い方の縁部に沿った垂直の切断線（二重点破線）の形成を示す。図６の左側では、ベニヤ板の分離した輪郭を示し、図６の右側では、ベニヤ板の重複した輪郭を示す。さらに、「フリーハンド直線原理」が特徴として見られ、ベニヤ板の短い方の面を結合する切断線が曲がっている場合、一見すると、自然な外見を実現するために、フリーで作成された直線のように見える。
【発明を実施するための形態】
【００４０】
本発明の第１の実施形態による方法を実施するための第１の工程は、木板の縁部から樹皮を除去し、割れた端部を横引きし、木板を自動かんな盤（ｔｈｉｃｋｎｅｓｓｉｎｇ  ｍａｃｈｉｎｅ）にかけ、その後、欠陥に基づいて、木板を横引きし、除外することを含む、エッジングされていない木板を準備する工程を含む。
【００４１】
次に木板の画像および輪郭データがスキャンされコンピュータのデータベースに取り込まれ、そのデータは、少なくとも木板の長さ、幅、厚さ、および縁部の輪郭のデータを含み、さらに、例えば、樹皮、樹心、心材、および丸身の輪郭、ならびに木材の欠陥に関するデータを含む。
【００４２】
また、それぞれの木板ごとに、納入や原産地情報、および他のメタデータ、例えばＦＳＣ認証を有しているなどの情報が、コンピュータのデータベースに保存される。
【００４３】
次に、木板は長さ方向に同じ厚さのベニヤ板に切られる。
【００４４】
欠陥がスキャナによって識別された後、欠陥がある木板は自動的に除外することができる。
【００４５】
それぞれの木板は、後に識別するためにラベルが付けられ、いくつかの束に分類され、それはまた後の識別のためにラベルが付けられる。
【００４６】
束に分類された木板は切られ、言い換えれば、それらは同じ厚さのベニヤ板または薄板に長さ方向に薄く切られる。ベニヤ板はラベルを付けられ、束にして保管され、それらはまたラベルを付けられる。
【００４７】
本発明の第２の実施形態による方法を実施するための第１の工程は、ベニヤ薄板、または言い換えれば、同じ樹幹から連続して薄く切られたベニヤ板をスキャンすることを含む。この場合、コンピュータのデータベースに保存されたスキャンされたデータはまた、少なくとも板の長さ、幅、厚さ、および縁部の輪郭のデータを含み、さらに、例えば、樹皮、樹心、心材、および丸身の輪郭、ならびに木材の欠陥に関するデータを含む。
【００４８】
床領域の外周が記録され、すなわち、自然な湾曲に従う縁部を有するベニヤ板で覆われる床領域が定められる。
【００４９】
これは、例えば、ＣＡＤプログラムを用いてコンピュータで行われる。
【００５０】
次に、さらなる限定パラメーター、例えば、木材の種類（オーク、カエデ材など）、樹心がベニヤ板の縁部で使用できるかどうか、ベニヤ板の最小および／または最大の幅および／または長さなどが定められる。
【００５１】
また、２つの隣接するベニヤ板の縁部の最小および最大重複ならびに２つの連続するベニヤ板の端部の最小および最大重複が定められる。また例えば、端部の幅間の許容差を定めてもよい。
【００５２】
その後、あらかじめ定めた床領域のベニヤ板の幅分類に従った分配モデルが、幅分類に従って、または例えば美的パラメーターなどの他のパラメーターに基づいて、コンピュータのデータベース内のベニヤ板の在庫状況に基づいて作成される。
【００５３】
この目的のために、いわゆる予備レイアウト配列が形成され、それは図２に示している。
【００５４】
次の工程で、コンピュータのデータベース内の木板のベニヤ板の縁部の輪郭データに基づいて、あらかじめ定めた床領域を覆うために、自然な湾曲に従う縁部を有するベニヤ板のセットが作成される。
【００５５】
その際に、列ごとに好ましい初期幅を定めながら、予備レイアウト配列が考慮される。
【００５６】
これはカスタマイズされたＣＡＤプログラムモジュール、すなわち制御プログラムを用いて実行され、それは、コンピュータのデータベースから、あらかじめ定められた限定パラメーターに一致するベニヤ板を探し出す。
【００５７】
次の列ごとにベニヤ板を選択する際に、所定の列の縁部の輪郭は、あらかじめ定められた最小および最大重複に従って前の列の縁部の輪郭と適合され、ベニヤ板のそれぞれの列の端部は、あらかじめ定められた最小および最大重複に従って適合される。それらの動作は予備レイアウト配列に関連し、上述のようにそれぞれの列ごとに好ましい幅および縁部の重複を定める。
【００５８】
この工程において、対応する列のベニヤ板の選択および適合は、次の列の２つのベニヤ板の端部の接合部が、前の列のベニヤ板の突き合わせ端部の幅より近くならないように行われる。
【００５９】
このために、可変の固定値を用いることができ、それは操作者によって選択され、これは例えば５０ｃｍまたは任意の他の数値であってもよい。
【００６０】
あまり厳しくない制限を有する同じ基準が、前の列の前の列で、２つのベニヤ板の端部の接合部からの必要距離に適用される。
【００６１】
図６は、それぞれの切断線の距離および幅を示すａおよびｂの値を示している。
【００６２】
それらの動作は、全体の床領域が覆われるまで、ベニヤ板の次の列ごとに繰り返される。
【００６３】
次に隣接するベニヤ板の縁部上の隣接するベニヤ板の重複領域ごとに、共通する切断線が作成される。
【００６４】
また、同じ列内の２つの連続するベニヤ板の端部の重複領域に対して、共通の切断線が作成される。
【００６５】
作成された切断線を有する得られたベニヤ板のセットが、画面上に操作者のために表示され、操作者は、好ましくは、列に対するベニヤ板の自動選択プロセスの結果に手動で介入する選択権を有し、必要な場合、１つ以上の列に対して、そのプロセスのベニヤ板を手動で選択する。
【００６６】
また必要な場合、操作者は自動的に作成された切断線の形および方向を手動で修正することができる。また必要な場合、操作者は同じ列の２つの連続するベニヤ板の端部の切断線の位置を手動で修正することができる。
【００６７】
操作者による手動の介入の機会は、他の技術的考慮（例えば戸口、煙突、柱等の位置）または純粋に美的側面のために、制御プログラムによって自動的に選択されるベニヤ板の代わりに異なる形を有するベニヤ板を選択する、より複雑な形の床の外周の場合を可能にするために必要である。
【００６８】
全ての切断線を有するベニヤ板のセットが決定されるとき、次にそれぞれのベニヤ板に対して、基板が、ベニヤ板の切断線に一致する形で作成される。
【００６９】
それによって、さねはぎを形成するために、付加的な材料部が、少なくとも基板の１つの長い方の縁部および１つの短い方の縁部に加えられる。ベニヤ板およびそれらの基板の全ての切断線は、ＣＡＭ処理のために保存される。
【００７０】
その後、基板材料が、例えば平削りによって調整され、必要な場合、基板の一面に補正溝が作成される。
【００７１】
その後、ベニヤ板ごとに基板が切り取られる。
【００７２】
その後、対応するベニヤ板および基板は、レーザまたは画像プロジェクタからの輪郭を用いて、ベニヤ板およびその基板を互いに対して正確な位置に置いて接着される。
【００７３】
接着剤が固まると、接着されたそれぞれのベニヤ板およびその基板の縁部が、あらかじめ決められた切断線にしたがってＣＮＣ切断機で切断される。言い換えれば、接着されたベニヤ板およびその基板の縁部は、得られた床板が床上で組み立てられる状態になるように切断され、それぞれの床板の基板部分を切断する間、基板の一方の縁部を突起に、他方の縁部を溝に切断される。
【００７４】
それぞれの準備できた床板はラベルが付けられる。
【００７５】
床板のセットが切断され準備ができた後、任意で、いわゆる床検査が、特別な基部または対応する製造スペースの床上に床板を置いて実施される。同時に、品質チェック、および必要な場合、いわゆるポストパテ付け（ｐｏｓｔ−ｐｕｔｔｙｉｎｇ）が行われる（例えば、節部分またはプロセス中にできた他の割れ目を整える）。
【００７６】
その後、広げられた床は分解され、滑らかにされる。
【００７７】
その後、準備できた床板はプラスチックフィルムで包まれ、運搬用に包装される。
【００７８】
任意に、フィルムで包み、包装する前に、床板の仕上げのために、品質チェックと共にブラッシングおよびオイリング（ｏｉｌｉｎｇ）を行う。
【００７９】
本発明は、上述の例示的な実施形態に限定されず、添付の請求項の範囲内であれば、本発明の多くの他の実施形態が考えられることが、当業者には明らかである。
【００８０】
本発明は、上述の例示的な実施形態に限定されず、添付の請求項の範囲内であれば、本発明の多くの他の実施形態が可能であることが、当業者には明らかである。
【図１】
0006310067.tif 000002
【図２】
0006310067.tif 000003
【図３】
0006310067.tif 000004
【図４】
0006310067.tif 000005
【図５】
0006310067.tif 000006
【図６】
0006310067.tif 000007